(57)【要約】【課題】サッシ枠へのスクリーン装置の取り付けのための構造を簡素化して、特別な工具を用いることなく素人でも容易に着脱操作ができるようにする。【解決手段】窓用サッシ２の開口部のサッシ枠３に左右相対向して一対のガイド枠１０を取付け、スクリーン７及びその端部の桟２２，２３をガイドさせるが、そのガイド枠の取付機構として、ガイド枠に口縁を溝蓋１５により狭窄した取付溝１４を設け、サッシ枠３に取り付けた取付金具１１に上記取付溝の口縁の幅と同じ径の固定孔２７ａとそれを取付溝の方向に開かせる開溝２７ｂを設け、ラッチ３０の係止板３３を取付溝に嵌入させ、ガイド枠の溝蓋１５及び取付金具の固定部２７をラッチの回転操作部３１と係止板３３との間に挟み着け、ラッチの回転操作部３１をガイド枠に沿う姿勢を保持させて、該ガイド枠１０を取付金具１１に固定可能にする。【選択図】図２
2010159616.tif 000002
【特許請求の範囲】
【請求項１】
窓用サッシの開口部のサッシ枠に相対向して取り付けられる一対のガイド枠を備え、該ガイド枠に沿ってスクリーン及びその端部に取り付けた桟を摺動させることにより該スクリーンを開閉できるようにしたスクリーン装置において、上記ガイド枠を上記サッシ枠に取り付けるための取付機構であって、
上記ガイド枠の取付面に、その長手方向に沿って、口縁を対向する溝蓋により狭窄化した取付溝を設け、
上記サッシ枠に取り付けた取付金具における上記ガイド枠の固定部に、上記ガイド枠の取付溝の口縁の幅に相当する径の固定孔、及び該孔を上記取付溝の方向に向けて当該固定部の外側に開かせる開溝を設け、
上記取付金具の固定部に上記ガイド枠を固定するためのラッチを、ハンドル状の回転操作部から側方に突出する軸部の先端に係止板を連結したものとして構成し、
上記軸部は、上記ガイド枠における取付溝の口縁の幅内及び上記取付金具における固定部の固定孔内に収まる径を有し、且つ上記ガイド枠の溝蓋及び取付金具の固定部を回転操作部と係止板との間に挟み着けるに必要な長さを有するものとし、上記係止板は、ガイド枠における上記取付溝の狭窄化した口縁の幅よりも大きい周縁部を有することにより、該取付溝に嵌入係止可能で、該溝内で少なくとも回転操作部がガイド枠に交差する姿勢からガイド枠に沿う姿勢をとる範囲で回転可能な板状に形成され、
上記ガイド枠の取付溝に係止板を嵌入したラッチの軸部を取付金具の固定部における開溝を通してその固定孔に嵌入したのち、該ラッチの回転操作部を軸部の周りで回転させ、該回転操作部にガイド枠に沿う姿勢を保持させて該ガイド枠を取付金具に固定可能にしている、
ことを特徴とするスクリーン装置におけるガイド枠の取付機構。
【請求項２】
上記取付金具における上記ガイド枠の固定部が、サッシ枠に取り付けるガイド枠の室外側に位置するように配設され、該固定部に対して室内側からガイド枠の取付溝を当接させて、上記ラッチによりそれらを固定状態に保持させている、
ことを特徴とする請求項１に記載のスクリーン装置におけるガイド枠の取付機構。
【請求項３】
上記ラッチと取付金具との間に、該回転操作部をガイド枠に沿う姿勢をとるように回転させたときに、その姿勢を越えて回転するのを抑止するストッパを備えている、
ことを特徴とする請求項１または２に記載したスクリーン装置におけるガイド枠の取付機構。
【請求項４】
上記係止板が、各辺がガイド枠における上記取付溝の溝幅より僅かに小さい長さを有する正方形で、その一対の対角部に、当該係止板を取付溝内において９０°の範囲で回転可能にする角丸部を有するものとして構成され、上記係止板により前記ストッパを形成させている、
ことを特徴とする請求項３に記載のスクリーン装置におけるガイド枠の取付機構。
【請求項５】
上記ラッチと取付金具との間に、該ラッチにおける回転操作部にガイド枠に沿う姿勢を保持させて、該ラッチによりガイド枠を取付金具に固定している状態において、該ラッチが取付金具における固定部に対してガイド枠の取付溝方向に移動するのを抑制する移動抑制手段を備えている、
ことを特徴とする請求項１〜３のいずれかに記載したスクリーン装置におけるガイド枠の取付機構。
【請求項６】
上記取付金具におけるガイド枠の固定部に設けた固定孔を該固定部の外側に開かせる開溝を、該孔の径よりも小幅とし、上記ラッチの軸部が、上記ガイド枠における取付溝の口縁の幅内及び上記取付金具における固定部の固定孔内に収まるが、該固定孔の開溝の幅よりも大きい径を有し、且つ該ラッチにおける回転操作部にガイド枠に沿う方向と直交する姿勢を保持させた状態において、上記軸部の対向面にその径を上記開溝の幅を通るところまで切除した小幅部を有するものとし、
これによって上記移動抑制手段を構成させた、
ことを特徴とする請求項５に記載のスクリーン装置におけるガイド枠の取付機構。
【請求項７】
上記ラッチの回転操作部のストッパを、上記取付金具の一部に回転操作部側に突出させた凸部により形成し、上記ストッパを、回転操作部がガイド枠に沿う姿勢をとったときに該回転操作部に設けた凹部に係合して該姿勢を保持させると共に、該回転操作部が取付金具における固定部に対してガイド枠の取付溝方向に移動するのを抑制する移動抑制手段を形成させている、
ことを特徴とする請求項３に記載のスクリーン装置におけるガイド枠の取付機構。
【請求項８】
上記ガイド枠を上記サッシ枠に取り付けるための取付金具の該サッシ枠に対する取り付けを、その取付部に、ねじ軸が通るねじ孔と、それに連通させて、窓用サッシを建物開口部枠に取り付けているねじを弛めた状態でそのねじ軸を上記ねじ孔に通すためのねじ頭挿通孔またはねじ軸導入溝を設け、
上記取付金具をサッシ取付用のねじで窓用サッシと共締めで固定している、
ことを特徴とする請求項１〜７のいずれかに記載のスクリーン装置におけるガイド枠の取付機構。
【請求項９】
スクリーンの巻掛け部材または巻取り軸を支持させる支持部材のサッシ枠に対する取り付けを、その取付部に、ねじ軸が通るねじ孔と、それに連通させて、窓用サッシを建物開口部枠に取り付けているねじを弛めた状態でそのねじ軸を該ねじ孔に通すためのねじ頭挿通孔またはねじ軸導入溝を設け、
上記支持部材をサッシ取付用のねじで窓用サッシと共締めで固定している、
ことを特徴とする請求項８に記載のスクリーン装置におけるガイド枠の取付機構。
【発明の詳細な説明】
【技術分野】
【０００１】
本発明は、窓用サッシの室内側の開口部に取り付けるようにしたスクリーン装置におけるガイド枠の取付機構に関するものであり、更に具体的には、以下に詳述する摺動式スクリーン装置ばかりでなく、縦引きあるいは横引きの巻取り式スクリーン装置にも適用できるガイド枠の取付機構に関するものである。
【背景技術】
【０００２】
特許文献１において開示されているように、障子が室の外側に開く外開き窓、辷り出し窓等においては、防虫用の網戸等として、障子の開閉に支障のない窓用サッシの室内側に取り付けられる摺動式スクリーン装置が既に知られている。該摺動式スクリーン装置においては、窓用サッシの障子装設位置よりも室内側の開口部に、左右相対向して一対のガイド枠が取付けられ、該一対のガイド枠間の上部に、スクリーンを巻き掛けて上記ガイド枠に沿う方向に折り返させる巻掛け部材が設けられ、上記開口部に張設可能な長さを有する上記スクリーンの摺動方向の両端に上記ガイド枠でガイドされる桟が固定され、スクリーンの張設時には、室内側の桟を最下位に位置させ、スクリーンの非張設時には両桟をガイド枠の長さ方向の中央部付近において会合させるように形成している。
【０００３】
上記摺動式スクリーン装置は、それを窓用サッシの室内側に設置する場合に、少なくとも、上記ガイド枠を左右のサッシ枠に取り付ける必要があり、更に、上記巻掛け部材及びその支持部材を、それらを覆うカバーと一体化して、あるいは、該支持部材とカバーとを個別的にサッシ枠に取り付ける必要がある。
なお、一端にガイド枠でガイドされる桟を取り付けたスクリーンの他端を巻取り軸に巻き取るようにした縦引きまたは横引きの巻取り式スクリーン装置においても、上記摺動式スクリーン装置と同様に、上記ガイド枠を左右または上下一対のサッシ枠に取り付け、更に、上記巻取り軸及びその支持部材をそれらを覆うカバーと一体化して、あるいは、該支持部材とカバーとを個別的にサッシ枠に取り付ける必要がある。
【０００４】
このような摺動式スクリーン装置や巻取り式スクリーン装置をサッシ枠に取り付けるに当たり、上記カバーはその形状が大きいことから、サッシ枠への取付手段に多くの選択肢があるが、上記ガイド枠は、左右または上下のサッシ枠に直接的に取り付ける必要があり、また、上記巻掛け部材あるいは巻取り軸の支持部材もサッシ枠に直接的に取り付ける必要が生じることもある。
【０００５】
このような場合に、上記ガイド枠や巻掛け部材あるいは巻取り軸の支持部材を直接的にサッシ枠にねじ止めするのが一般的であるが、何らかの都合で摺動式スクリーン装置を撤去することになった場合に、上記ガイド枠や巻掛け部材等の支持部材をサッシ枠から取り外すと、そのサッシ枠に上記ガイド枠等を取り付けていたねじ孔がきずとして残ることになるため、上記ねじ止めによるガイド枠等のサッシ枠に対する固定は望まれないことが多い。
【０００６】
なお、上述したように、摺動式スクリーン装置や巻取り式スクリーン装置をサッシ枠に取り付ける場合に、上記カバーはその形状が大きいことから、サッシ枠への取付手段に多くの選択肢があって、たとえねじ止めすることがあっても、そのねじ止め位置を比較的目立たない位置にするなどの対応を行うことができるが、上記ガイド枠や巻掛け部材あるいは巻取り軸の支持部材の場合には、その取付位置の移動可能範囲が小さいので、撤去後に目立つ位置にねじ孔を開けることになる場合が少なくない。
【０００７】
また、上記摺動式スクリーン装置等の設置工事では、サッシ等に対する孔開けや摺動式スクリーン装置等の一定の手順による組み付けを行う必要があり、特殊な工具を用いることもあるため、一般的には施工業者によって行われているが、摺動式スクリーン装置や巻取り式スクリーン装置自体をユニット化して、上述した左右のサッシ枠に取り付けるガイド枠と、カバーと一体化した巻掛け部材あるいは巻取り軸、及びその支持部材をサッシ枠に取り付け、または、個別的にサッシ枠に取り付ける該巻掛け部材あるいは巻取り軸とその支持部材とカバーとをサッシ枠に取り付ければよいようにし、しかも、その取付手段を簡単化した場合には、特別な工具を用いることなく素人でも容易に摺動式スクリーン装置の装脱操作ができるようになり、施工業者にとっても著しい施工時間の短縮を図ることが可能になる。
【先行技術文献】
【特許文献】
【０００８】
【特許文献１】特許第３４８４６９９号公報
【発明の概要】
【発明が解決しようとする課題】
【０００９】
本発明の技術的課題は、スクリーン装置の設置作業を簡単化して設置コストを低廉化することにある。
また、本発明の他の技術的課題は、スクリーン装置の取り付けのための構造を簡素化して、特別な工具を用いることなく素人でも容易に着脱操作ができるようにした該スクリーン装置におけるガイド枠の取付機構を提供することにある。
本発明の更に他の技術的課題は、一旦設置したスクリーン装置を何らかの都合で撤去することになった場合に、サッシ枠にガイド枠等を取り付けていたねじ孔がきずとして残るのを防止できるようにしたスクリーン装置におけるガイド枠の取付機構を提供することにある。
【課題を解決するための手段】
【００１０】
上記課題を解決するための本発明に係るガイド枠の取付機構は、窓用サッシの開口部のサッシ枠に相対向して取り付けられる一対のガイド枠を備え、該ガイド枠に沿ってスクリーン及びその端部に取り付けた桟を摺動させることにより該スクリーンを開閉できるようにしたスクリーン装置において、上記ガイド枠を上記サッシ枠に取り付けるための取付機構であって、上記ガイド枠の取付面に、その長手方向に沿って、口縁を対向する溝蓋により狭窄化した取付溝を設け、上記サッシ枠に取り付けた取付金具における上記ガイド枠の固定部に、上記ガイド枠の取付溝の口縁の幅に相当する径の固定孔、及び該孔を上記取付溝の方向に向けて当該固定部の外側に開かせる開溝を設け、上記取付金具の固定部に上記ガイド枠を固定するためのラッチを、ハンドル状の回転操作部から側方に突出する軸部の先端に係止板を連結したものとして構成し、更に具体的には、下記構成を有するものとして構成している。
【００１１】
即ち、上記ラッチの軸部は、上記軸部は、上記ガイド枠における取付溝の口縁の幅内及び上記取付金具における固定部の固定孔内に収まる径を有し、且つ上記ガイド枠の溝蓋及び取付金具の固定部を回転操作部と係止板との間に挟み着けるに必要な長さを有するものとし、上記係止板は、ガイド枠における上記取付溝の狭窄化した口縁の幅よりも大きい周縁部を有することにより、該取付溝に嵌入係止可能で、該溝内で少なくとも回転操作部がガイド枠に交差する姿勢からガイド枠に沿う姿勢をとる範囲で回転可能な板状に形成され、上記ガイド枠の取付溝に係止板を嵌入したラッチの軸部を取付金具の固定部における開溝を通してその固定孔に嵌入したのち、該ラッチの回転操作部を軸部の周りで回転させ、該回転操作部にガイド枠に沿う姿勢を保持させて該ガイド枠を取付金具に固定可能にしていることを特徴とするものである。
【００１２】
本発明に係るガイド枠の取付機構の好ましい実施形態においては、上記取付金具における上記ガイド枠の固定部が、サッシ枠に取り付けるガイド枠の室外側に位置するように配設され、該固定部に対して室内側からガイド枠の取付溝を当接させて、上記ラッチによりそれらを固定状態に保持させる構成が採用される。
【００１３】
本発明に係るガイド枠の取付機構の他の好ましい実施形態においては、上記ラッチと取付金具との間に、該回転操作部をガイド枠に沿う姿勢をとるように回転させたときに、その姿勢を越えて回転するのを抑止するストッパを備え、具体的には、上記係止板が、各辺がガイド枠における上記取付溝の溝幅より僅かに小さい長さを有する正方形で、その一対の対角部に、当該係止板を取付溝内において９０°の範囲で回転可能にする角丸部を有するもの等として構成される。
【００１４】
本発明に係るガイド枠の取付機構の他の好ましい実施形態においては、上記ラッチと取付金具との間に、該ラッチにおける回転操作部にガイド枠に沿う姿勢を保持させて、該ラッチによりガイド枠を取付金具に固定している状態において、該ラッチが取付金具における固定部に対してガイド枠の取付溝方向に移動するのを抑制する移動抑制手段を備えているものとして構成される。上記移動抑制手段は、例えば、上記取付金具におけるガイド枠の固定部に設けた固定孔を該固定部の外側に開かせる開溝を、該孔の径よりも小幅とし、上記ラッチの軸部が、上記ガイド枠における取付溝の口縁の幅内及び上記取付金具における固定部の固定孔内に収まるが、該固定孔の開溝の幅よりも大きい径を有し、且つ該ラッチにおける回転操作部にガイド枠に沿う方向と直交する姿勢を保持させた状態において、上記軸部の対向面にその径を上記開溝の幅を通るところまで切除した小幅部を有するものとして構成される。
【００１５】
また、本発明の好ましい実施形態においては、上記ラッチの回転操作部のストッパが、上記取付金具の一部に回転操作部側に突出させた凸部により形成され、上記ストッパが、回転操作部がガイド枠に沿う姿勢をとったときに該回転操作部に設けた凹部に係合して該姿勢を保持させると共に、該回転操作部が取付金具における固定部に対してガイド枠の取付溝方向に移動するのを抑制する移動抑制手段を形成するものとして構成される。
【００１６】
上述したように、スクリーン装置のガイド枠の設置に取付金具を用いることにより、その取付金具のサッシ枠に対する固定位置を適宜選択して、仮にねじ止めするにしても、一旦設置したスクリーン装置を撤去すときに、ねじ孔等がきずとして目立たない位置に、該取付金具を取り付けておくことができる。
また、上記取付金具の固定部に対して室内側からガイド枠の取付溝を当接させて、上記ラッチによりそれらを固定状態に保持し、更に、該ラッチによる上記ガイド枠の固定時には、その回転操作部が取付溝の長手方向を向く姿勢をとるように形成することにより、上記ガイド枠の固定状態において、その固定部分が室内側から見えない位置にあるように構成することができる。
【００１７】
更に、本発明の好ましい実施形態においては、上記ガイド枠を上記サッシ枠に取り付けるための取付金具の該サッシ枠に対する取り付けを、その取付部に、ねじ軸が通るねじ孔と、それに連通させて、窓用サッシを建物開口部枠に取り付けているねじを弛めた状態でそのねじ軸を上記ねじ孔に通すためのねじ頭挿通孔またはねじ軸導入溝を設け、上記取付金具をサッシ取付用のねじで窓用サッシと共締めで固定される。
また、スクリーンの巻掛け部材または巻取り軸を支持させる支持部材のサッシ枠に対する取り付けを、その取付部に、ねじ軸が通るねじ孔と、それに連通させて、窓用サッシを建物開口部枠に取り付けているねじを弛めた状態でそのねじ軸を該ねじ孔に通すためのねじ頭挿通孔またはねじ軸導入溝を設け、上記支持部材をサッシ取付用のねじで窓用サッシと共締めで固定される。
【００１８】
このようなスクリーン装置のガイド枠等の取付機構によれば、サッシ枠にスクリーン装置の取付金具及びスクリーンの巻掛け部材を支持させる支持部材を取り付けるためのねじ孔を開ける必要がない。
【発明の効果】
【００１９】
上述した本発明によれば、スクリーン装置の設置作業を簡単化して設置コストを低廉化し、また、スクリーン装置の取り付けのための構造を簡素化して、特別な工具を用いることなく素人でも容易に着脱操作ができるようにした該スクリーン装置におけるガイド枠の取付機構を提供することができる。更に、一旦設置したスクリーン装置を何らかの都合で撤去することになった場合に、サッシ枠にガイド枠等を取り付けていたねじ孔がきずとして残るのを防止できるようにしたスクリーン装置を得ることができる。
【図面の簡単な説明】
【００２０】
【図１】窓用サッシに対して本発明の第１実施例に係るガイド枠の取付機構を適用した摺動式スクリーン装置の縦断面図である。
【図２】図１における窓用サッシ及び摺動式スクリーン装置の要部水平拡大断面図である。
【図３】上記ガイド枠の取付金具をサッシ枠に取り付ける状態を示す要部拡大斜視図である。
【図４】上記取付金具に上記ガイド枠を取り付けるためのラッチを示し、（Ａ）は平面図、（Ｂ）は正面図である。
【図５】上記ラッチによりガイド枠を取付金具に取り付ける直前の状態を示す要部拡大斜視図である。
【図６】上記ラッチの軸部をガイド枠の取付溝と取付金具の固定孔に嵌入した状態を示す部分拡大正面図である。
【図７】上記ラッチによるガイド枠の固定完了状態を示す要部拡大斜視図である。
【図８】上記実施例におけるスクリーンの巻掛け部材を支持させる支持部材のサッシ枠に対する取付状態を示す要部拡大斜視図である。
【図９】上記第１実施例における取付金具及びラッチの変形例を示す斜視図である。
【図１０】図９のラッチの正面側の斜視図である。
【図１１】図９のラッチによる取付金具へのガイド枠の取付状態を示す正面図である。
【図１２】窓用サッシに対して本発明の第２実施例に係るガイド枠の取付機構を適用した横引きの巻取り式スクリーン装置の縦断面図である。
【図１３】図１２における窓用サッシ及び横引き巻取り式スクリーン装置の水平断面図である。
【図１４】上記第２実施例において用いている取付金具及びラッチの構成を示す斜視図である。
【図１５】図１４のラッチ構成を示し、（Ａ）は側面図、（Ｂ）は正面図である。
【図１６】図１４のラッチによる取付金具へのガイド枠の取付状態を示す正面図である。
【発明を実施するための形態】
【００２１】
図１及び図２は、窓用サッシ２に対して本発明に係るガイド枠の取付機構を適用したスクリーン装置の一例を示している。
図示の摺動式スクリーン装置５は、防虫、遮光、断熱、目隠し、装飾等を目的として窓用サッシ２に設置されるもので、概略的には、建物開口部枠１に取り付ける窓用サッシ２の障子４の装設位置よりも室内側の開口部のサッシ枠３に左右相対向して取り付けられる一対のガイド枠１０と、該一対のガイド枠１０間の上部に設けられ、スクリーン７を巻き掛けて上記ガイド枠１０に沿う方向に折り返させる巻掛け部材２０と、上記開口部に張設可能な長さを有する上記スクリーン７の摺動方向の両端にほぼ同形の桟２２，２３がそれぞれ固定され、該桟２２，２３の各両端をスクリーン７と共に上記ガイド枠１０にガイドさせるように組み付けられるスクリーンユニット６とを備えている。
【００２２】
上記摺動式スクリーン装置５は、スクリーン７の張設時には、図１に示すように、巻掛け部材２０に巻き掛けたスクリーン７の室内側の桟２３が上記開口部の最下位に位置し、スクリーン７の非張設時には、ガイド枠１０の長さ方向の中央部付近において両桟２２，２３が会合するように形成されたものである。
なお、上記摺動式スクリーン装置５に代えて、縦引きの巻取り式スクリーン装置を用いることもでき、この巻取り式スクリーン装置は、スクリーンの下端に左右のガイド枠でガイドされる桟を取り付け、該スクリーンの上端を巻取り方向にばね付勢された巻取り軸に巻き取るようにして、上記巻取り軸をカバー内に収容して上記開口部に取り付け、あるいは、上記巻取り軸の支持部材とカバーとを個別的に上記開口部に取り付けるようにした周知のものである。
【００２３】
窓用サッシ２の室内側の開口部に左右相対向して取り付けられる上下方向に長い一対のガイド枠１０は、互いに対称形状をなすものであり、図２及び図３からわかるように、窓用サッシ２におけるサッシ枠３に取付金具１１を介して取り付けられるもので、スクリーン７とその両端に設けた桟２２，２３の摺動を個別的にガイドする隣接配置された各２条の平行な溝状の桟ガイド１２，１３を備えている。それらのガイド枠１０は、溝状をなす桟ガイド１２，１３の開口をサッシ枠３の開口部の内側に向けて設置され、上記開口側と直交する障子側の側面にガイド枠１０の取付面を設け、該取付面には、口縁を対向する溝蓋１５により狭窄化した取付溝１４を設けている。
また、上記桟ガイド１３の各内底には、スリット１３ａを設けているが、これは、スクリーン７の両側縁に設けた柔軟で滑り性の高い係止部をその内側に係止させて、スクリーン７の両側縁が桟ガイド１３から離脱するのを防ぐためのものである。
【００２４】
上記摺動式スクリーン装置５に代えて、縦引きの巻取り式スクリーン装置を用いることもできる。この縦引きの巻取り式スクリーン装置は、サッシ枠３に左右相対向して取り付けられる一対のガイド枠１０間の上部に、スクリーン７を巻取る巻取り軸が設けられ、該巻取り軸に巻き取ったスクリーンをガイド枠１０に沿って導出するものであるため、この巻取り式スクリーン装置では１条の桟ガイドを設けることになり、この場合にも同様に、桟ガイド１３の各内底にスリット１３ａを設け、スクリーン７の両側縁に設けた柔軟で滑り性の高い係止部をその内側に係止させて、スクリーン７の両側縁が桟ガイド１３から離脱するのを防ぐように構成される。
【００２５】
また、上記一対のガイド枠１０間の上部に配置される上記スクリーン７を巻き掛けるための巻掛け部材２０は、図１及び図８に示しているように、両端が窓用サッシ２における上記サッシ枠３に取り付けられた支持部材２１によって回転可能に軸支される円筒状の部材により形成され、該巻掛け部材２０に巻き掛けたスクリーン７を上記ガイド枠１０に沿う方向に折り返させるものである。上記支持部材２１は、円形凹部によって形成される巻掛け部材２０の受け部２１ａを備えると共に、該受け部２１ａ上に連なるように、巻掛け部材２０を落とし込むための導入路２１ｂを備えている。上記巻掛け部材２０は、その室内側をカバー２５によって覆い隠すように形成しているが、該カバー２５は、適宜位置においてサッシ枠３や上記支持部材２１等に固定されるものである。
【００２６】
上記サッシ枠３に取り付けるガイド枠１０の取付金具１１は、図３に明瞭に示すように、金属板の折曲により、該サッシ枠３に対して取り付ける取付部２６と上記ガイド枠１０を固定するための固定部２７とを連設したものとして構成され、上記取付金具１１の固定部２７には、ガイド枠１０の取付溝１４の口縁の幅に相当する径の一対の固定孔２７ａ、即ち、該取付溝１４の口縁の幅と同径の固定孔２７ａと、それら孔２７ａを上記取付溝１４の方向に向けて当該固定部２７の外側に開かせる該孔２７ａの径よりも小幅の開溝２７ｂを設け、一方、上記サッシ枠３への取付部２６には、後述するねじ孔２６ａとそれに連通させたねじ軸導入溝２６ｂとを設けている。図３に示す取付金具１１では、二つの固定孔２７ａを対向配置して、その双方を以下に説明するラッチ３０による固定に利用し、あるいはその一方を選択使用できるようにしたものを示しているが、この取付金具１１は、図５及び図６に示すように、一つの固定孔２７ａ及び開溝２７ｂを設けたものを用いることもできる。
【００２７】
上記取付金具１１の固定部２７に上記ガイド枠１０を固定するためのラッチ３０は、図４〜図７に示すように、作業者が手で操作するハンドル状の回転操作部３１と、該回転操作部３１にその端部から側方に突出するように連結した軸部３２と、該軸部３２を介して回転操作部３１連結された係止板３３とを備えたものである。
上記軸部３２は、上記ガイド枠１０における取付溝１４の口縁の幅内及び上記取付金具１１における固定部２７の固定孔２７ａ内に収まるように、それらの取付溝１４及び固定孔２７ａよりも僅かに小さく、しかし該固定孔２７ａの開溝２７ｂの幅よりも大きい径を有しているが、該軸部３２の対向面に、その径を上記開溝２７ｂに通せるところまで切除した小幅部３２ａを形成している。また、該軸部３２は、上記ガイド枠１０の溝蓋１５及び取付金具１１の固定部２７を回転操作部３１と係止板３３との間に挟み着けるに必要な長さを有するものとして形成している。
【００２８】
一方、上記係止板３３は、図４の（Ｂ）からわかるように、各辺がガイド枠１０における上記取付溝１４の溝幅より僅かに小さい長さを有する正方形で、その一対の対角部に、当該係止板３３を取付溝１４内において９０°の範囲で回転可能にする角丸部を有するものとして形成し、その角丸部のない対角部により、回転操作部３１をガイド枠１０に沿う姿勢をとるように回転させたときに、その姿勢を越えて回転するのを抑止するストッパを形成させているが、かかる形態に限るものではなく、ガイド枠１０における上記取付溝１４の狭窄化した口縁の幅よりも大きい周縁部３３ａを有することにより、該取付溝１４に嵌入係止可能で、該溝１４内で少なくとも一定角度範囲において、例えば、少なくとも回転操作部３１がガイド枠１０に直交する姿勢からガイド枠１０に沿う姿勢をとる範囲で回転可能な板状に形成されたものであればよい。
【００２９】
上記ラッチ３０によるガイド枠１０の取付金具１１に対する固定は、図５に示すように、ガイド枠１０の取付溝１４にその溝端からラッチ３０の係止板３３を嵌入したうえで、該ラッチ３０の軸部３２を、その小幅部３２ａにより取付金具１１の固定部２７における開溝２７ｂを通過させて、図６に示すように、該固定部２７の固定孔２７ａに嵌入させ、その後、図７に示すように、該ラッチ３０の回転操作部３１を取付溝１４に沿う方向に向けることにより軸部３２を回転させ、上記小幅部３２ａを開溝２７ｂに対面させることにより、該軸部３２を固定孔２７ａから離脱不能な姿勢にして、ガイド枠１０を取付金具１１に保持させるものである。この状態では、取付溝１４の溝蓋１５と取付金具１１の固定部２７が、ラッチ３０の回転操作部３１と係止板３３との間に挟着されるが、後述する第２実施例において示すように、係止板３３に弾性的な変形による押圧部を設けることにより、上記回転操作部３１と係止板３３との間に上記溝蓋１５と取付金具１１の固定部２７とを弾性的に挟着することができる。
【００３０】
上記取付金具１１における上記ガイド枠１０の固定部２７は、図２に示すように、該取付金具１１のサッシ枠３に対する取付部２６の室外側（障子４側）に位置するようにして該サッシ枠３に取り付け、その固定部２７がガイド枠１０の室外側に位置するようにスクリーン装置のガイド枠１０を配設し、そのため、該ガイド枠１０の取付溝１４を取付金具１１の固定部２７に対して室内側から当接させて、上記ラッチ３０によりそれらを固定状態に保持させるようにしている。
【００３１】
このように、スクリーン装置５のガイド枠１０をサッシ枠３に直接的にねじ止め等により固定することなく、そのガイド枠１０の設置に取付金具１１を用いることにより、その取付金具１１のサッシ枠３に対する固定位置を適宜選択し、あるいは該金具１１の形状や取付部２６におけるねじ孔２６ａの位置を変更したものを用意し、仮に該金具１１をサッシ枠３にねじ止めするにしても、一旦設置したスクリーン装置５を撤去すときに、ねじ孔等がきずとして目立たない位置に、該取付金具１１を取り付けておくことができる。しかも、上述のように、取付金具１１の固定部２７に対して室内側からガイド枠を当接させてそれらを固定すると、その取付金具１１による固定部分をガイド枠１０によって室内側から見えない位置に隠すことができる。
【００３２】
また、上記ラッチ３０は、そのハンドル状の回転操作部３１から軸部３２が側方に突出するものとして構成し、上記ラッチ３０の軸部３２における小幅部３２ａを取付金具１１の固定部２７における開溝２７ｂを通してその固定孔２７ａに嵌入する際、該ラッチの回転操作部３１が、図６に示すように、取付溝１４の長手方向と直交する方向に向く姿勢をとり、そして、該回転操作部３１により軸部３２を回転させて該ラッチ３０の軸部３２を固定孔２７ａから離脱不能な姿勢にした際に、該回転操作部３１が取付溝１４の長手方向を向く姿勢をとるように形成している。この姿勢では、上述したように、上記ガイド枠１０の固定状態において、その固定部分が室内側から見えない位置にあるため、室内側からみて美観のある摺動式スクリーン装置５の設置を行うことができる。
【００３３】
上記回転操作部３１にガイド枠１０に沿う姿勢を保持させると、該ラッチ３０の軸部３２を固定孔２７ａから離脱不能にできる構成は、ガイド枠１０を取付金具１１に固定している状態において、該ラッチ３０が取付金具１１における固定部２７に対してガイド枠１０の取付溝１４の方向に移動するのを抑制する移動抑制手段を形成するものである。
【００３４】
上記取付金具１１のサッシ枠３に対する取り付けは、図３に示すように、その取付金具１１の取付部２６に、窓用サッシ２のサッシ枠３を建物開口部枠１に取り付けている既存のねじ９のねじ軸９ａが通る前記ねじ孔２６ａと、それに連通させて、上記ねじ９を弛めた状態でそのねじ軸９ａを上記ねじ孔２６ａに通すための前記ねじ軸導入溝２６ｂとを設け、上記ねじ９を弛めた状態で上記取付金具１１のねじ軸導入溝２６ｂを通して上記ねじ孔２６ａの位置まで移動させ、上記サッシ取付用のねじ９で窓用サッシ２と共締めで固定するようにしている。
【００３５】
一方、スクリーンの巻掛け部材２０を支持させる支持部材２１のサッシ枠３に対する取り付けのため、図８に示すように、その支持部材２１の取付部４０には、窓用サッシ２のサッシ枠３を建物開口部枠１に取り付けているねじ９のねじ軸９ａが通るねじ孔４１ａと、それに連通させて、上記ねじ９を弛めた状態でそのねじ軸９ａを該ねじ孔４１ａに通すためのねじ頭挿通孔４１ｂとを設けている。そして、上記支持部材２１の取付部４０をサッシ取付用のねじ９で窓用サッシと共締めで固定するようにしている。
【００３６】
この支持部材２１のサッシ枠３に対する取り付けのために上記取付部４０に設けているねじ孔４１ａとそれに連通するねじ頭挿通孔４１ｂからなる構成は、前記取付金具１１のサッシ枠３に対する取り付けの場合において、図３のねじ孔２６ａとねじ軸導入溝２６ｂに代えて用いることができ、また、逆に上記図３のねじ孔２６ａとねじ軸導入溝２６ｂとは、上記支持部材２１のサッシ枠３に対する取り付けのために、上記ねじ孔４１ａとそれに連通するねじ頭挿通孔４１ｂに代えて用いることができる。
【００３７】
図９〜図１１は、上記取付金具１１及びラッチ３０の変形例を示すもので、この変形例の取付金具１１Ａの固定部２８には、ガイド枠１０の取付溝１４の口縁の幅に相当する径の一対の固定孔２８ａと、それらの孔２８ａを上記取付溝１４の方向に向けて当該固定部２８の外側に開かせる該孔２８ａの径と同幅の開溝２８ｂを設けると共に、上記一対の固定孔２８ａの間に、該固定部２８の一部の切り起しにより、この取付金具１１Ａに適用するラッチ３０Ａのハンドル状の回転操作部３１Ａの当接面側に突出させた凸部２９を形成している。
【００３８】
上記凸部２９は、図１１に示すように、ラッチ３０Ａの回転操作部３１Ａがガイド枠１０に沿う姿勢をとったときに、該回転操作部３１Ａに設けた一対の凹部３５のいずれかに係合して、該姿勢を越えて回転操作部３１Ａが回転するのを抑止するストッパとして機能すると共に、該回転操作部３１Ａが取付金具１１Ａにおける固定部２８に対してガイド枠１０の取付溝１４方向に移動するのを抑制する移動抑制手段を形成するものである。なお、上述したように、固定部２８における固定孔２８ａはその径と同幅の開溝２８ｂによって取付溝１４の方向に向けて開かせているので、上記ラッチ３０Ａの軸部３２は、固定孔２８ａに嵌入する円形断面に形成している。
上記取付金具１１Ａのサッシ枠３への取付部２６及び該サッシ枠３への取付構造は、図３によって説明した前記取付金具１１の場合と変わるところがない。
【００３９】
図１２及び図１３は、窓用サッシに対して本発明の第２実施例に係るガイド枠の取付機構を適用して横引きの巻取り式スクリーン装置４５を取り付けた構成態様を示し、また、図１４〜図１６は、この第２実施例においてガイド枠５０の取り付けに適用する取付金具５１及びラッチ７０の構成を示している。上記横引きの巻取り式スクリーン装置４５は、第１実施例における摺動式スクリーン装置５と同様に、防虫、遮光、断熱、目隠し、装飾等を目的として窓用サッシ２の開口部に設置されるものであるが、建物開口部枠１に取り付ける窓用サッシ２の上下のサッシ枠３に相対向して取り付けられる一対のガイド枠５０と、該サッシ枠３の左右に取り付けられる巻取りボックス６５、及びスクリーン４７の先端に取り付けた可動桟６２の受け枠６３とを備えている。
【００４０】
上記巻取りボックス６５は、その内部に上記スクリーン４７を巻いた巻取り軸６０が回転可能に支持され、その巻取り軸６０の内部に収容したスプリングによりスクリーン４７の巻取り方向に回転するように付勢されている。一方、上記巻取りボックス６５とは反対側のサッシ枠３には、該スクリーン４７の導出側端に取り付けた可動桟６２を受ける受け枠６３を備え、該受け枠６３と可動桟６２にマグネット６４ａと磁性体６４ｂからなる吸着手段を設けて、可動桟６２を受け枠６３に着脱自在に保持させるようにしている。そして、上記スクリーン４７の両側端（図１では上下端）には、柔軟で滑り性の高い係止部を設けて、上下のガイド枠５０内における桟ガイド５３内に設けたスリット５３ａの内側に係止させ、スクリーン７の両側縁が桟ガイド１３から離脱するのを防ぐように構成している。
【００４１】
窓用サッシ２の室内側の開口部の上下に相対向して取り付けられる水平方向に長い一対のガイド枠５０は、互いに対称形状をなすものであり、図１２からわかるように、窓用サッシ２におけるサッシ枠３に取付金具５１を介して取り付けられるもので、スクリーン４７の両端及び可動桟６２の摺動をガイドする上記桟ガイド５３を備え、それらのガイド枠５０は、桟ガイド５３の開口をサッシ枠３の開口部の内側に向け、障子側の側面にガイド枠５０の取付面を設け、該取付面には、図１４に明瞭に示すように、口縁を対向する溝蓋５５により狭窄化した取付溝５４を設けている。
【００４２】
上記取付金具５１におけるガイド枠５０の固定部６８には、図９によって説明した取付金具１１Ａと同様な構成を有するもので、ガイド枠５０の取付溝５４の口縁の幅に相当する径の一対の固定孔６８ａと、それらの孔６８ａを上記取付溝５４の方向に向けて固定部６８の外側に開かせる該孔の径と同幅の開溝６８ｂを設けると共に、上記一対の固定孔６８ａの間に、該固定部６８の一部の切り起しによりラッチ７０の回転操作部７１側に突出する凸部６９を形成している。なお、この取付金具５１は、図９によって説明した取付金具１１Ａと比べて上記凸部６９の形状がガイド枠５０の取付溝５４の長手方向と直交する方向に長くなっている点で相違するものである。
【００４３】
上記凸部６９は、図１６に示すように、ラッチ７０の回転操作部７１がガイド枠５０の長手方向に沿う姿勢をとったときに、該回転操作部７１に設けた凹部７５の壁面にその中央部付近において係合し、該姿勢を越えて回転操作部７１が回転するのを抑止するストッパとして機能すると共に、該回転操作部７１が取付金具５１における固定部６８に対してガイド枠５０の取付溝５４方向に移動するのを抑制する移動抑制手段を形成するものである。
【００４４】
上記ラッチ７０は、第１実施例のラッチ３０及びその変形例（図１０）のラッチ３０Ａと本質的に変わるところがないものではあるが、ラッチ３０Ａと比べて、上記取付金具５１いおける凸部６９との関連において凹部７５の形状が相違し、また、係止板７３におけるハンドル状の回転操作部７１の長手方向と直交する方向に、弾性的な変形による押圧部７３ａを設けることにより、上記回転操作部７１と係止板７３との間に上記溝蓋５５と取付金具５１の固定部６８とを弾性的に挟着する点で相違している。
【００４５】
上記取付金具５１のサッシ枠３への取付部及び該サッシ枠３への取付構造は、図３によって説明した前記取付金具１１の場合と変わるところがない。また、上記第２実施例におけるその他の構成は、第１実施例と実質的に変わるところがない。
なお、図１２における上側のガイド枠５０を取り付けるラッチ７０は、回転操作部７１を未だガイド枠５０の長手方向に向けていない状態を示し、同下側のラッチ７０は、回転操作部７１をガイド枠５０の長手方向に向けて室内側から見えないようにした状態を示している。
【符号の説明】
【００４６】
１    建物開口部枠
２    窓用サッシ
３    サッシ枠
５    摺動式スクリーン装置
７    スクリーン
９    ねじ
９ａ    ねじ軸
１０，５０    ガイド枠
１１，１１Ａ，５１    取付金具
１２，１３    桟ガイド
１４    取付溝
１５    溝蓋
２０    巻掛け部材
２１    支持部材
２２，２３    桟
２６    取付部
２６ａ，４１ａ    ねじ孔
２６ｂ    ねじ軸導入溝
２７，２８，６８    固定部
２７ａ，２８ａ，６８ａ    固定孔
２７ｂ，２８ｂ，６８ｂ    開溝
３０，３０Ａ，７０    ラッチ
３１，３１Ａ，７１    回転操作部
３２    軸部
３２ａ    小幅部
３３，７３    係止板
３３ａ    周縁部
４１ｂ    ねじ頭挿通孔
４５    巻取り式スクリーン装置
７３ａ    押圧部
【図１】
2010159616.tif 000003
【図２】
2010159616.tif 000004
【図３】
2010159616.tif 000005
【図４】
2010159616.tif 000006
【図５】
2010159616.tif 000007
【図６】
2010159616.tif 000008
【図７】
2010159616.tif 000009
【図８】
2010159616.tif 000010
【図９】
2010159616.tif 000011
【図１０】
2010159616.tif 000012
【図１１】
2010159616.tif 000013
【図１２】
2010159616.tif 000014
【図１３】
2010159616.tif 000015
【図１４】
2010159616.tif 000016
【図１５】
2010159616.tif 000017
【図１６】
2010159616.tif 000018